(57)【要約】【課題】セキュリティを維持しつつ、メイン端末とサブ端末の切り替えを容易に行なうことのできる通信端末を提供する。【解決手段】本発明に係る通信端末は、機能制限を解除すべき旨の認証要求を周囲の端末に宛てて送信し、許可されれば機能制限を解除する。【選択図】図３
2011077658.tif 000002
【特許請求の範囲】
【請求項１】
基地局と無線通信する第１通信部と、
他の通信端末と無線通信する第２通信部と、
機能が制限された通信端末として動作するか否かを制御する制御部と、
を備え、
前記第２通信部は、
当該通信端末の機能制限を解除することを許可するよう要求する認証要求を送信し、
前記制御部は、
機能制限を解除することを許可する旨の認証応答を前記第２通信部が他の無線端末より受信したときは、当該通信端末の機能制限を解除する
ことを特徴とする通信端末。
【請求項２】
前記第２通信部は、前記認証要求を所定時間間隔で送信し、
前記制御部は、
当該無線端末の機能制限を解除した後に前記第２通信部が前記認証応答を他の無線端末より所定回数以上受信しなかったときは、当該通信端末の機能を制限する
ことを特徴とする請求項１記載の通信端末。
【請求項３】
前記第１通信部は、
当該通信端末の機能制限を解除した旨または機能を制限した旨を通知する信号を前記基地局に送信する
ことを特徴とする請求項１または請求項２記載の通信端末。
【請求項４】
前記第２通信部は、
当該通信端末を識別する端末識別情報を前記認証要求に含めて送信する
ことを特徴とする請求項１から請求項３のいずれか１項に記載の通信端末。
【請求項５】
前記第２通信部は人体通信を行うことを特徴とする請求項１から請求項４のいずれか１項に記載の通信端末。
【請求項６】
前記第２通信部はＢｌｕｅｔｏｏｔｈ通信を行うことを特徴とする請求項１から請求項４のいずれか１項に記載の通信端末。
【請求項７】
当該通信端末の加入者情報を格納する記憶媒体を備え、
前記第２通信部は、
前記認証応答を送信した通信端末に対してその通信端末の加入者情報を送信するよう要求し、
前記制御部は、
前記第２通信部が前記認証応答を受信し、かつ前記認証応答を送信した通信端末から受信した加入者情報が当該通信端末の加入者情報と一致したときは、当該通信端末の機能制限を解除する
ことを特徴とする請求項１から請求項６のいずれか１項に記載の通信端末。
【請求項８】
前記加入者情報として加入者の電話番号を用いることを特徴とする請求項７記載の通信端末。
【請求項９】
前記制御部は、
前記第２通信部が他の通信端末から受信した加入者情報が当該通信端末の加入者情報と一致しないときは、当該通信端末の機能を制限する
ことを特徴とする請求項７または請求項８記載の通信端末。
【請求項１０】
前記第１通信部は、
前記第２通信部が他の通信端末から受信した加入者情報が当該通信端末の加入者情報と一致しないときは、機能を制限して動作する旨を通知する信号を前記基地局に送信する
ことを特徴とする請求項９記載の通信端末。
【請求項１１】
前記認証要求を許可するか否かを判定するために用いる認証情報を格納する認証情報記憶部を備え、
前記制御部は、前記認証情報を用いて前記認証要求を許可するか否かを判定する
を備えたことを特徴とする請求項１から請求項１０のいずれか１項に記載の通信端末。
【請求項１２】
前記基地局と、
請求項１から請求項１０のいずれか１項に記載の通信端末と、
請求項１１に記載の通信端末と、
を有することを特徴とする移動体通信システム。
【請求項１３】
前記基地局は、
前記通信端末の機能制限を解除した旨または機能を制限した旨の信号を受信すると、他の前記通信端末にその旨を通知する
ことを特徴とする請求項１２記載の移動体通信システム。
【請求項１４】
基地局と無線通信する第１通信部と、
他の通信端末と無線通信する第２通信部と、
機能が制限された通信端末として動作するか否かを制御する制御部と、
を備えた通信端末の機能設定を変更する方法であって、
前記通信端末の機能制限を解除することを許可するよう要求する認証要求を送信するステップと、
前記認証要求に対する認証応答を受信するステップと、
機能制限を解除することを許可する旨の認証応答を他の無線端末より受信した場合は前記通信端末の機能制限を解除するステップと、
を有することを特徴とする通信端末設定変更方法。
【請求項１５】
請求項１４記載の通信端末設定変更方法を前記通信端末が備える制御装置に実行させることを特徴とする通信端末設定変更プログラム。
【請求項１６】
請求項１５記載の通信端末設定変更プログラムを格納したことを特徴とする記憶媒体。
【発明の詳細な説明】
【技術分野】
【０００１】
本発明は、機能を制限した状態で動作することのできる通信端末に関するものである。
【背景技術】
【０００２】
近年、携帯電話機の普及により、１人で複数の携帯端末を持つユーザーが増えている。しかし、複数の携帯端末を利用するためには、１つのＳＩＭカード（Subscriber Identity Module Card）を携帯端末間で差し替えながら各携帯端末を利用するか、もしくは携帯端末ごとにＳＩＭカードを取得する必要がある。
【０００３】
２００９年８月現在、日本国内の通信キャリアは、同一の電話番号に対応した複数のＳＩＭカードをユーザーに配布するサービスを提供していない。したがって、携帯端末ごとにＳＩＭカードを取得する場合、加入者番号（電話番号）を複数持つことになる。
【０００４】
一方海外では、同一の電話番号に対応した複数のＳＩＭカードを提供するサービスを実現している。例えばドイツテレコムの「MultiSIM」というサービスを利用すれば、ユーザーは電話を発信する際、最も手近にある電話端末を利用すればよい。また、電話番号が同一の端末が全て呼び出し音を鳴らすため、ユーザーは最も手近にある端末で応答すればよい。
【０００５】
その他、メインＳＩＭカード１枚とサブＳＩＭカード複数枚を提供し、メインＳＩＭカードとサブＳＩＭカードの間で発着信機能やベアラについて差をつけている通信キャリアもある。例えば香港ＣＳＬでは、メイン端末として設定された端末だけに着信するようになっている。またタイＡＩＳでは、全てのサービスが利用できるのはメインカードのみ、他のカードはＧＰＲＳ接続のみできるサービスとなっている。さらには、メイン端末とサブ端末の切り替えを、携帯端末から基地局へ所定番号を発信することにより実施する通信キャリアも存在する。
【０００６】
上記の他、携帯端末に関する従来技術として、下記特許文献１〜３がある。
【０００７】
特許文献１に記載の技術では、ある通信端末の通信継続が困難になったとき、同一の電話番号を共有している他の通信端末に通信呼を切り替えて通信を継続する。
【０００８】
特許文献２に記載の技術では、網に接続する順位を示す優先情報をあらかじめＩＣカードに設定しておき、端末情報管理装置１２０は優先度が高い端末のリンクを確立する。これにより、同一電話番号を有する複数の端末を排他的に利用することができる。
【０００９】
特許文献３に記載の技術では、自機に対して所定の範囲内に位置する他のモバイル機器を定期的に検出し、検出した他のモバイル機器の組み合わせとグループ登録部１８に登録されている他のモバイル機器の組み合わせとが一致しない場合に、機能制限部１９を作動させる。これにより、ユーザーが日によって持ち歩くモバイル機器が変化する場合でも、その変化に柔軟に対応することができる。
【先行技術文献】
【特許文献】
【００１０】
【特許文献１】特開２００２−２０９２７２号公報
【特許文献２】特開２００７−２４３８６０号公報
【特許文献３】特開２００８−８５７８６号公報
【発明の概要】
【発明が解決しようとする課題】
【００１１】
上記特許文献１に記載の技術では、ユーザーの目が届かない場所に通信端末がある場合には、第３者がその通信端末を操作する可能性があり、セキュリティ上の懸念がある。
【００１２】
上記特許文献２に記載の技術では、優先度の低いＩＣカードが挿入されている端末をユーザーが利用しようとしたとき、その端末のリンクが張られていない可能性がある。そのため、メイン端末とサブ端末を切り替える際に、ユーザーがＩＣカードを差し替えたり端末の設定を変更したりする作業負担が生じる場合がある。
【００１３】
上記特許文献３に記載の技術は、ユーザーが複数のモバイル機器を持ち歩く環境において、いずれかのモバイル機器を置き忘れるなどした場合に、全てのモバイル機器の機能を制限する。この手法では、全てのモバイル機器を対等に取り扱うことが想定されているものと思われる。すなわち、上記特許文献３に記載の技術では、各モバイル機器についてメイン端末／サブ端末のような区別は明確になされておらず、全てのモバイル機器の機能を制限するか、または全てのモバイル機器の機能制限を解除するかのいずれかのみが想定されている。したがって、メイン端末とサブ端末の切り替えを補助することは、同技術のみでは困難である。
【００１４】
本発明は、上記のような課題を解決するためになされたものであり、セキュリティを維持しつつ、メイン端末とサブ端末の切り替えを容易に行なうことのできる通信端末を提供することを目的とする。
【課題を解決するための手段】
【００１５】
本発明に係る通信端末は、機能制限を解除すべき旨の認証要求を周囲の端末に宛てて送信し、許可されれば機能制限を解除する。
【発明の効果】
【００１６】
本発明に係る通信端末によれば、認証要求に対して認証処理を行うことのできる通信端末をユーザーが持参するのみで、機能制限を解除することができる。機能制限を解除することにより、当該通信端末はメイン端末として動作することができる。すなわち、ＳＩＭカードを差し替えるような煩わしい作業を行うことなく容易にメイン端末とサブ端末を切り替えることができる。また、認証処理を行うことのできる通信端末をユーザーが持参するという行為が必要になるので、ユーザーの目が届かないところで機能制限が解除される懸念が低減され、セキュリティの向上が期待できる。
【図面の簡単な説明】
【００１７】
【図１】実施の形態１に係る移動体通信システム１０００の構成図である。
【図２】通信端末１００ｂの詳細機能ブロック図である。
【図３】通信端末１００ａがサブ端末からメイン端末に切り替わる１動作例を示す図である。
【図４】通信端末１００ａがメイン端末からサブ端末に切り替わる１動作例を示す図である。
【図５】移動体通信システム１０００においてメイン端末とサブ端末が切り替わる手順の１例を示すシーケンス図である。
【図６】移動体通信システム１０００においてメイン端末とサブ端末が切り替わる手順の１例を示すシーケンス図である。
【図７】親端末／子端末とメイン端末／サブ端末の組み合わせ毎の動作を説明する表である。
【図８】親端末／子端末とメイン端末／サブ端末の組み合わせ毎の動作を説明する表である。
【発明を実施するための形態】
【００１８】
＜実施の形態１＞
図１は、本発明の実施の形態１に係る移動体通信システム１０００の構成図である。移動体通信システム１０００は、通信端末１００ａ、１００ｂおよび１００ｃ、基地局２００を有する。各通信端末の構成は、通信端末１００ｂが備える後述の認証情報記憶部１３０を除いて同様であるため、以下では各通信端末を総称するときは通信端末１００と呼んでアルファベット添え字を省略する。
【００１９】
通信端末１００は、第１通信部１１０、第２通信部１２０を備える。第１通信部１１０は、基地局２００と無線通信する機能部であり、アンテナや信号処理回路などの必要な構成を適宜備える。第２通信部１２０は、基地局２００を介さずに他の通信端末１００と無線通信する機能部であり、第１通信部１１０と同様にアンテナや信号処理回路などの必要な構成を適宜備える。
【００２０】
通信端末１００ｂは、通信端末１００ａと１００ｃの親端末となる端末であり、これらの端末が備える構成に加えて認証情報記憶部１３０をさらに備える。認証情報記憶部１３０は、子端末（通信端末１００ａと１００ｃ）を認証するための認証情報を格納している。
【００２１】
基地局２００は、各通信端末１００間の通信を仲介する。また、各通信端末１００がメイン端末として動作しているかサブ端末として動作しているかを管理する。基地局２００は、端末設定記憶部２１０を備える。端末設定記憶部２１０は、各通信端末１００がメイン端末として動作しているかサブ端末として動作しているかを管理する情報を格納する。
【００２２】
図２は、通信端末１００ｂの詳細機能ブロック図である。通信端末１００ｂは、第１アンテナ１１１、第１通信制御部１１２、第２アンテナ１２１、第２通信制御部１２２、認証情報記憶部１３０、制御部１４０、端末設定記憶部１５０、ＳＩＭカード装着部１６０を備える。通信端末１００ａと１００ｃも、認証情報記憶部１３０を備えていない点を除き同様の構成を有する。
【００２３】
第１アンテナ１１１は、基地局２００と無線通信を行うアンテナである。第１通信制御部１１２は、第１アンテナ１１１が送受信する信号の処理などを行なう回路等を備える。第１アンテナ１１１と第１通信制御部１１２によって第１通信部１１０が構成される。
【００２４】
第２アンテナ１２１は、基地局２００を介さずに他の通信端末１００と無線通信を行うアンテナである。第２通信制御部１２２は、第２アンテナ１２１が送受信する信号の処理などを行なう回路等を備える。第２アンテナ１２１と第２通信制御部１１２によって第２通信部１２０が構成される。第２通信部１２０が用いる通信規格として、例えばＢｌｕｅｔｏｏｔｈ（登録商標）や人体通信などが挙げられる。その他の適当な近距離通信規格などを用いることもできる。
【００２５】
認証情報記憶部１３０は、後述の子端末認証処理を行う際に用いられる認証情報を格納している。認証情報記憶部１３０は、ＲＯＭ（Ｒｅａｄ  Ｏｎｌｙ  Ｍｅｍｏｒｙ）などの不揮発性の記憶装置で構成することができる。
【００２６】
制御部１４０は、通信端末１００の動作を制御する。また、通信端末１００をメイン端末として動作させるか、サブ端末として動作させるかを切り替える。メイン端末とサブ端末の違いについては後述する。
【００２７】
端末設定記憶部１５０は、各通信端末１００がメイン端末として動作しているか、サブ端末として動作しているかを示す設定情報を記憶する。端末設定記憶部１５０は、ＲＡＭ（Ｒａｎｄｏｍ  Ａｃｃｅｓｓ  Ｍｅｍｏｒｙ）などの書き込み可能な記憶装置で構成することができる。
【００２８】
ＳＩＭカード装着部１６０は、通信端末１００のＳＩＭカードを装着するスロットである。制御部１４０は、ＳＩＭカード装着部１６０を介して、ＳＩＭカードが格納している情報を取得する。
【００２９】
第１通信制御部１１２、第２通信制御部１２２、制御部１４０は、これらの機能を実現する回路デバイスなどのハードウェアを用いて構成することもできるし、ＣＰＵ（Ｃｅｎｔｒａｌ  Ｐｒｏｃｅｓｓｉｎｇ  Ｕｎｉｔ）などの演算装置とその動作を規定するソフトウェアを用いて構成することもできる。
【００３０】
各通信端末１００は、メイン端末として動作するかサブ端末として動作するかを基地局２００に通知する。例えば、サブ端末より基地局２００に宛てて、メイン端末に切り替わる旨を通知するための所定番号に呼を発信する、などの手法により、メイン端末とサブ端末の切り替わりを基地局２００へ通知することができる。
【００３１】
基地局２００は、切り替わり後の各通信端末の設定情報（メイン端末／サブ端末のいずれとして動作するかを表す情報）を、端末設定記憶部２１０に格納する。また、各通信端末１００の制御部１４０は、自己がメイン端末として動作するかサブ端末として動作するかを表す設定情報を、端末設定記憶部１５０に格納する。
【００３２】
図１に示す状態では、通信端末１００ａと１００ｃはサブ端末、通信端末１００ｂはメイン端末として動作しているものとする。通信端末１００ａと１００ｃは据え置き型の通信端末、通信端末１００ｂは携帯型の通信端末であることを想定する。図１の点線で記載した円は、第２通信部１２０が通信可能な範囲を示す。
【００３３】
以上、移動体通信システム１０００が有する各機器の構成について説明した。次に、本発明における「メイン端末／サブ端末」と「親端末／子端末」の違いについて説明する。
【００３４】
本発明において、メイン端末とは機能制限がない状態で動作する通信端末であり、ユーザーが主に使用する通信端末を指す。一方、サブ端末とは例えばキー操作や着信が制限されるなどの機能制限がかかっている状態の通信端末である。すなわち「メイン端末／サブ端末」とは、機能制限がかけられているか否かによって通信端末１００を区分したものである。
【００３５】
本発明において、親端末とは、子端末がメイン端末として動作することを許可する認証機能を有する通信端末のことである。子端末とは、親端末から許可を受けた後にメイン端末として動作することのできる通信端末である。すなわち「親端末／子端末」とは、機能制限を解除する権限を有するか否かによって通信端末１００を区分したものである。
【００３６】
各通信端末１００は、メイン端末／サブ端末いずれにもなり得るが、親端末となり得るのは認証情報およびその認証情報を用いて認証を行なう機能を有する通信端末１００ｂのみである。
【００３７】
以上、本発明における「メイン端末／サブ端末」と「親端末／子端末」の違いについて説明した。次に、移動体通信システム１０００の各機器がメイン端末／サブ端末のいずれとして動作するかを切り替える際の動作を説明する。
【００３８】
図３は、通信端末１００ａがサブ端末からメイン端末に切り替わる１動作例を示す図である。以下、図３の各ステップについて説明する。
【００３９】
（１）ステップ１：親端末が移動する
通信端末１００ｂ（親端末）を所持しているユーザーは、通信端末１００ａを使用するため、通信端末１００ａの方向に向かって移動する。これにより、ユーザーが所持する通信端末１００ｂが第２通信部１２０ａの通信可能範囲に入ったものとする。
【００４０】
（２）ステップ２：子端末を認証する
（２．１）認証要求
通信端末１００ａの第２通信部１２０ａは、所定時間間隔ごとに認証要求を周囲に送信する。この認証要求は、通信端末１００ａがメイン端末（機能制限のない通信端末）として動作することを許可するよう要求する通信信号である。通信端末１００ｂが第２通信部１２０ａの通信圏内に入るまでは、認証要求に対する応答が得られないので、通信端末１００ａの制御部１４０ａは、通信端末１００ａをサブ端末（機能制限のある通信端末）として動作させる。
【００４１】
（２．２）認証応答
通信端末１００ｂが第２通信部１２０ａの通信圏内に入ると、第２通信部１２０ｂは、通信端末１００ａが送信した認証要求を受信する。制御部１４０ｂは、認証情報記憶部１３０が格納している認証情報を用いて、通信端末１００ａの認証要求に対する認証処理を実行する。制御部１４０ｂは、第２通信部１２０ｂを介して、通信端末１００ａに対し認証応答を送信する。
【００４２】
（３）ステップ３：端末設定を通知する
（３．１）基地局２００へ通知する
通信端末１００ａの制御部１４０ａは、第２通信部１２０ａを介して認証応答を受信した後は、通信端末１００ａをメイン端末として動作させる。第１通信部１１０ａは、基地局２００に対し、メイン端末として動作する旨を通知する。
【００４３】
（３．２）設定情報を格納する
基地局２００は、通信端末１００ａがメイン端末に切り替わった旨を端末設定記憶部２１０に格納するとともに、各通信端末１００に通知する。通信端末１００ｂの第１通信部１１０ｂは、その通知を受信して制御部１４０ｂに出力する。制御部１４０ｂは、以後通信端末１００ｂをサブ端末として動作させる。また端末設定記憶部１５０ｂに、その旨を表す設定情報を格納する。
【００４４】
図４は、通信端末１００ａがメイン端末からサブ端末に切り替わる１動作例を示す図である。以下、図４の各ステップについて説明する。
【００４５】
（４）ステップ４：親端末が移動する
通信端末１００ｂ（親端末）を所持しているユーザーは、通信端末１００ａの使用を終了し、通信端末１００ａから離れる方向に向かって移動する。これにより、ユーザーが所持する通信端末１００ｂが第２通信部１２０ａの通信圏外に出たものとする。
【００４６】
（５）ステップ５：認証要求を送信する
（５．１）認証要求
通信端末１００ａの第２通信部１２０ａは、メイン端末動作に移行した後も、所定時間間隔ごとに認証要求を周囲に送信する。通信端末１００ｂが第２通信部１２０ａの通信圏内に存在する間は、認証要求に対する応答が得られるので、通信端末１００ａの制御部１４０ａは、通信端末１００ａをメイン端末として動作させる。
【００４７】
（５．２）認証応答
通信端末１００ｂが第２通信部１２０ａの通信圏外に出ると、第２通信部１２０ａは、通信端末１００ｂから認証応答を受信することができなくなる。制御部１４０ａは、認証応答を受信できないことが所定回数連続したときは、通信端末１００ａをサブ端末として動作させる。
【００４８】
（６）ステップ６：端末設定を通知する
（６．１）基地局２００へ通知する
通信端末１００ｂは、通信端末１００ａからの認証要求が所定回数以上または所定時間以上連続して届かなかったときは、基地局２００に対し、通信端末１００ｂをメイン端末とする旨を通知する。
【００４９】
（６．２）設定情報を格納する
基地局２００は、通信端末１００ｂがメイン端末に切り替わった旨を端末設定記憶部２１０に格納するとともに、各通信端末１００に通知する。通信端末１００ａの第１通信部１１０ａは、その通知を受信して制御部１４０ａに出力する。制御部１４０ａは、以後通信端末１００ａをサブ端末として動作させる。また端末設定記憶部１５０ａに、その旨を表す設定情報を格納する。
【００５０】
図５は、移動体通信システム１０００においてメイン端末とサブ端末が切り替わる手順の１例を示すシーケンス図である。ここでは、各通信端末１００をセットアップし、図３の動作が完了するまでの手順を示した。通信端末１００ａ〜１００ｃは、同一ユーザーによって所有されており、各ＳＩＭカードは同一の加入者情報を格納しているものとする。以下、図５の各ステップについて説明する。
【００５１】
（図５：ステップＳ５０１）
ユーザーは、各通信端末１００のペアリング設定を行なう。ここでいうペアリング設定とは、第２通信部１２０を介して各通信端末１００を相互に通信させ、同一ユーザーに所属する通信端末としてグループ化する処理をいう。ペアリング設定の過程で、親端末（認証情報を持つ通信端末１００ｂ）は、子端末に認証処理用のＩＤ（後に子端末を識別するための端末識別情報）を付与しておく。このＩＤとして、例えば通信端末１００を識別するために個々の通信端末１００ごとに振られる製造番号（ＩＭＥＩ）や個々のＳＩＭカードのＩＤ番号を利用してもよい。
【００５２】
（図５：ステップＳ５０２）
各通信端末１００は、基地局２００に自己の位置を登録する。
【００５３】
（図５：ステップＳ５０３）
基地局２００は、どの通信端末がメイン端末となるかの設定情報を、端末設定記憶部２１０にあらかじめ格納している。基地局２００は、各通信端末１００にその設定を送信する。ここでは、メイン端末として動作すべき旨を通信端末１００ｂに通知し、サブ端末として動作すべき旨を通信端末１００ａと１００ｃに通知するものとする。
【００５４】
（図５：ステップＳ５０４〜Ｓ５０６）
通信端末１００ｂは、認証情報を持っているため、ロックが解除された状態となっている。通信端末１００ａと１００ｃは、ロックがかけられた状態となっている。基地局２００からの通知により、通信端末１００ｂはメイン端末、通信端末１００ａと１００ｃはサブ端末となる。なお、ロックとは、通信端末１００に機能制限をかけ、子端末として動作させることをいう。ロックが解除されている通信端末１００は、メイン端末になり得る。
【００５５】
（図５：ステップＳ５０７〜Ｓ５０８）
子端末である通信端末１００ａと１００ｃは、所定時間間隔で、第２通信部１２０を介して親端末をサーチする。具体的には、第２通信部１２０を介して応答要求を送信するなどすればよい。応答を得られた場合は、親端末が第２通信部１２０の通信圏内に存在すると判断することができる。
【００５６】
（図５：ステップＳ５０９）
図３に示すように、通信端末１００ｂが第２通信部１２０ａの通信圏内に存在しているものと仮定する。通信端末１００ａは、通信端末１００ｂの存在を検知すると、通信端末１００ｂに対して認証要求を送信する。この認証要求は、通信端末１００ａの機能制限を解除することを許可する要求である。通信端末１００ａの第２通信部１２０ａは、ステップＳ５０１で親端末から付与されたＩＤを、認証要求信号に含めておく。
【００５７】
（図５：ステップＳ５１０）
通信端末１００ｃの近傍には親端末が存在しないので、サーチは失敗する。所定回数連続してサーチが失敗した場合、制御部１４０ｃは通信端末１００ｃをロック状態（機能制限がかけられた状態）とする。
【００５８】
（図５：ステップＳ５１１）
通信端末１００ｂ（親端末）の制御部１４０ｂは、ステップＳ５０９で通信端末１００ａ（子端末）から受信したＩＤを、認証情報記憶部１３０内に保持している認証情報を用いて認証する。制御部１４０ｂは、このＩＤを用いて子端末を識別し、ロック解除を許可するか否かを判定することができる。
【００５９】
（図５：ステップＳ５１１：補足）
最も単純には、ステップＳ５０１で子端末に認証情報のコピーを配布しておき、本ステップでは子端末から受信したＩＤと認証情報が一致するか否かによって子端末を認証する、という手法を用いることができる。その他の認証手法を用いてもよい。
【００６０】
（図５：ステップＳ５１２）
通信端末１００ｂは、ステップＳ５１１の認証結果を通信端末１００ａに送信する。ここでは、ロック解除を許可する旨の認証応答を送信したものとする。
【００６１】
（図５：ステップＳ５１３〜Ｓ５１５）
以上のステップの結果として、通信端末１００ａと１００ｂはロック解除状態、通信端末１００ｃはロック状態となる。
【００６２】
（図５：ステップＳ５１６）
通信端末１００ａ（子端末）は、通信端末１００ｂ（親端末）に対し、ＳＩＭカードが格納している加入者情報（例えば加入者の電話番号）を送信するよう要求する。これは、ロック解除を許可する旨の認証応答を送信した親端末が同一の加入者に属するか否かを判定するための処理である。
【００６３】
（図５：ステップＳ５１７）
通信端末１００ｂは、ＳＩＭカードが格納している加入者情報を通信端末１００ａに応答する。
【００６４】
（図５：ステップＳ５１８）
通信端末１００ａの第２通信部１２０ａは、通信端末１００ｂが送信した加入者情報を受信する。制御部１４０ａは、ＳＩＭカード装着部１６０ａを介してＳＩＭカードが格納している加入者情報を取得し、通信端末１００ｂの加入者情報と比較する。両者が一致すれば、通信端末１００ａと１００ｂは同一加入者に属すると判定し、以後のステップに進む。両者が一致しないときは、通信端末１００ａをロック状態に戻す。以下では、両者が一致したものとして説明する。
【００６５】
（図５：ステップＳ５１９）
通信端末１００ａの第１通信部１１０ａは、基地局２００に対し、通信端末１００ａをメイン端末として動作させる旨の設定変更要求を送信する。
【００６６】
（図５：ステップＳ５２０）
基地局２００は、通信端末１００ａをメイン端末とし、通信端末１００ｂと１００ｃをサブ端末とする旨の設定情報を、端末設定記憶部２１０に書き込む。
【００６７】
（図５：ステップＳ５２１）
基地局２００は、各通信端末１００に対し、メイン端末／サブ端末のいずれで動作するかの設定を通知する。ここでは通信端末１００ａをメイン端末、通信端末１００ｂと１００ｃをサブ端末とする設定を通知することになる。
【００６８】
図６は、移動体通信システム１０００においてメイン端末とサブ端末が切り替わる手順の１例を示すシーケンス図である。ここでは、図５で説明したシーケンスに続いて、図４の動作が完了するまでの手順を示した。以下、図６の各ステップについて説明する。
【００６９】
（図６：ステップＳ６０１〜Ｓ６０３）
図５の動作シーケンスの結果として、通信端末１００ａはメイン端末（機能制限がない通信端末）となり、通信端末１００ｂと１００ｃはサブ端末（機能が制限された通信端末）となる。
【００７０】
（図６：ステップＳ６０４〜Ｓ６０５）
これらのステップは、図５のステップＳ５０７〜Ｓ５０８と同様である。
【００７１】
（図６：ステップＳ６０６〜Ｓ６０７）
図４に示すように、通信端末１００ｂが第２通信部１２０ａの通信圏外に移動したものと仮定する。通信端末１００ａと１００ｃの近傍には親端末が存在しないので、サーチは失敗する。通信端末１００ａと１００ｃは、親端末のサーチが所定回数失敗したときは、ロック状態となる。
【００７２】
（図６：ステップＳ６０８〜Ｓ６１０）
以上のシーケンスの結果、通信端末１００ｂはロック解除状態、通信端末１００ａと１００ｃはロック状態となる。
【００７３】
（図６：ステップＳ６１１）
通信端末１００ｂは、通信端末１００ａからの認証要求が所定回数以上または所定時間以上連続して届かなかったときは、通信端末１００ａが離れたものと判断する。通信端末１００ｂの第１通信部１１０ｂは、基地局２００に対し、通信端末１００ｂをメイン端末として動作させる旨の設定変更要求を送信する。
【００７４】
（図６：ステップＳ６１２）
基地局２００は、通信端末１００ｂをメイン端末とし、通信端末１００ａと１００ｃをサブ端末とする旨の設定情報を、端末設定記憶部２１０に書き込む。
【００７５】
（図６：ステップＳ６１３）
基地局２００は、各通信端末１００に対し、メイン端末／サブ端末のいずれで動作するかの設定を通知する。ここでは通信端末１００ｂをメイン端末、通信端末１００ａと１００ｃをサブ端末とする設定を通知することになる。
【００７６】
（図６：ステップＳ６１４〜Ｓ６１６）
以上のシーケンスの結果、通信端末１００ｂはメイン端末、通信端末１００ａと１００ｃはサブ端末となる。
【００７７】
以上、移動体通信システム１０００の各機器がメイン端末／サブ端末を切り替えながら動作する手順を説明した。なお、本実施の形態１において、メイン端末／サブ端末の切り替えは、基地局２００からの指示に基づき実行してもよいし、各通信端末１００が認証要求の結果などに基づき独自に実行してもよい。ただし、メイン端末／サブ端末の機能の違いが基地局２００との連携によってなされる場合（例えばメイン端末のみ着信する場合）には、いずれにしても基地局２００にメイン端末／サブ端末の区別を通知しておく必要がある。
【００７８】
以上のように、本実施の形態１によれば、通信端末１００（子端末）の第２通信部１２０は、ロック（機能制限）を解除することを要求する認証要求を周囲の端末に送信する。親端末が周囲に存在する場合は、親端末より当該通信端末１００（子端末）へ認証応答を送信し、当該通信端末１００（子端末）はロックを解除する。これにより、ユーザーはメイン端末とサブ端末を切り替えるための特別な操作などを行なう必要がなく、単に親端末を所持して通信端末１００の近傍に移動するのみで、その通信端末１００をメイン端末に切り替えることができるので、操作負担が大幅に減少する。
【００７９】
また、本実施の形態１によれば、親端末が保持している認証情報を、ロック解除のための鍵のように用いている。すなわち、ユーザーが鍵を所持して通信端末１００の近傍に移動しない限りロックを解除することはできない。これにより、ユーザーが目視できる範囲内でのみ通信端末１００のロックを解除することができるので、セキュリティが向上する効果が期待できる。
【００８０】
また、本実施の形態１によれば、通信端末１００（子端末）は、ロック解除を許可する旨の認証応答を親端末から受信した後、親端末に対して加入者情報を送信するよう要求する。これにより、親端末が同一加入者に属する通信端末であるか否かを確認することができるので、不正な通信端末が送信した認証応答を誤って受信したような場合は、子端末をロック状態に戻すことができ、セキュリティ向上の効果が期待できる。
【００８１】
＜実施の形態２＞
実施の形態１では、通信端末１００ｂ（親端末／メイン端末）が通信端末１００ａ（サブ端末／子端末）に接近し、メイン端末の役割とサブ端末の役割を切り替える動作例を説明した。本発明の実施の形態２では、親端末／子端末とメイン端末／サブ端末の組み合わせ毎の動作を説明する。
【００８２】
図７は、親端末／子端末とメイン端末／サブ端末の組み合わせ毎の動作を説明する表である。これらの組み合わせは、通信端末１００毎に４種類存在する。図７では、横軸に示す役割を有する通信端末１００が縦軸に示す役割を有する通信端末１００に接近した（第２通信部１２０の通信圏内に入った）際の各端末の動作を示す。以下、図７の各組み合わせについて説明する。
【００８３】
（１）メイン端末同士の組み合わせ
移動体通信システム１０００内では、メイン端末は１台のみしか存在し得ないことを想定する。そのため、メイン端末同士が接近する場合は存在しない。したがって、図７における「パターンＡとパターンＥ」「パターンＡとパターンＦ」「パターンＢとパターンＥ」「パターンＢとパターンＦ」の組み合わせは存在しない。
【００８４】
（２）親端末同士の組み合わせ
移動体通信システム１０００内では、認証情報を保持する親端末は１台のみしか存在し得ないことを想定する。そのため、親端末同士が接近する場合は存在しない。したがって、図７における「パターンＡとパターンＧ」「パターンＣとパターンＥ」「パターンＣとパターンＧ」の組み合わせは存在しない。
【００８５】
（３）メイン／親端末とサブ／子端末の組み合わせ
「メイン端末かつ親端末」の役割を有する通信端末１００と、「サブ端末かつ子端末」の役割を有する通信端末１００とが接近した場合は、親端末が子端末を認証する。認証が許可されれば、子端末はロックを解除してメイン端末に移行し、親端末はサブ端末に移行する。図７の「パターンＡとパターンＨ」「パターンＤとパターンＥ」の組み合わせが本項目に相当する。
【００８６】
（４）サブ／親端末とメイン／子端末の組み合わせ
「サブ端末かつ親端末」の役割を有する通信端末１００と、「メイン端末かつ子端末」の役割を有する通信端末１００とが接近した場合は、親端末が子端末を認証する。認証が許可されれば、子端末はロックを解除する。ただしこの場合は、子端末は初めからメイン端末の役割を有するので、端末設定は変更しない。図７の「パターンＢとパターンＧ」「パターンＣとパターンＦ」の組み合わせが本項目に相当する。
【００８７】
（５）サブ／子端末とメイン／子端末の組み合わせ
「サブ端末かつ子端末」の役割を有する通信端末１００と、「メイン端末かつ子端末」の役割を有する通信端末１００とが接近した場合は、認証情報を持つ親端末が存在しないので、ロック解除はできない。したがって端末設定も変更しない。図７の「パターンＢとパターンＨ」「パターンＤとパターンＦ」の組み合わせが本項目に相当する。
【００８８】
（６）サブ／親端末とサブ／子端末の組み合わせ
「サブ端末かつ親端末」の役割を有する通信端末１００と、「サブ端末かつ子端末」の役割を有する通信端末１００とが接近した場合は、親端末が子端末を認証する。認証が許可されれば、子端末はロックを解除してメイン端末に移行する。親端末はサブ端末のままとなる。図７の「パターンＣとパターンＨ」「パターンＤとパターンＧ」の組み合わせが本項目に相当する。
【００８９】
（７）サブ／子端末とサブ／子端末の組み合わせ
「サブ端末かつ子端末」の役割を有する通信端末１００と、「サブ端末かつ子端末」の役割を有する通信端末１００とが接近した場合は、認証情報を持つ親端末が存在しないので、ロック解除はできない。したがって端末設定も変更しない。図７の「パターンＤとパターンＨ」の組み合わせが本項目に相当する。
【００９０】
図８は、親端末／子端末とメイン端末／サブ端末の組み合わせ毎の動作を説明する表である。図８では、横軸に示す役割を有する通信端末１００と縦軸に示す役割を有する通信端末１００が離れた（第２通信部１２０の通信圏外に出た）際の各端末の動作を示す。以下、図８の各組み合わせについて説明する。
【００９１】
（１）メイン端末同士の組み合わせ
図７と同様に、「パターンＡとパターンＥ」「パターンＡとパターンＦ」「パターンＢとパターンＥ」「パターンＢとパターンＦ」の組み合わせは存在しない。
【００９２】
（２）親端末同士の組み合わせ
図７と同様に、「パターンＡとパターンＧ」「パターンＣとパターンＥ」「パターンＣとパターンＧ」の組み合わせは存在しない。
【００９３】
（３）メイン／親端末とサブ／子端末の組み合わせ
「メイン端末かつ親端末」の役割を有する通信端末１００と、「サブ端末かつ子端末」の役割を有する通信端末１００とが離れた場合は、親端末が子端末を認証することができなくなる。そのため、子端末はロック状態になる。親端末の端末設定には変更はない。図８の「パターンＡとパターンＨ」「パターンＤとパターンＥ」の組み合わせが本項目に相当する。
【００９４】
（４）サブ／親端末とメイン／子端末の組み合わせ
「サブ端末かつ親端末」の役割を有する通信端末１００と、「メイン端末かつ子端末」の役割を有する通信端末１００とが離れた場合は、親端末が子端末を認証することができなくなる。そのため、子端末はロック状態になる。子端末はロックされて機能制限がかかるので、サブ端末に移行する。親端末はメイン端末に移行する。図８の「パターンＢとパターンＧ」「パターンＣとパターンＦ」の組み合わせが本項目に相当する。
【００９５】
（５）サブ／子端末とメイン／子端末の組み合わせ
「サブ端末かつ子端末」の役割を有する通信端末１００と、「メイン端末かつ子端末」の役割を有する通信端末１００とが離れた場合は、認証情報を持つ親端末が存在しないので、ロック解除はできない。したがって端末設定も変更しない。図８の「パターンＢとパターンＨ」「パターンＤとパターンＦ」の組み合わせが本項目に相当する。
【００９６】
（６）サブ／親端末とサブ／子端末の組み合わせ
「サブ端末かつ親端末」の役割を有する通信端末１００と、「サブ端末かつ子端末」の役割を有する通信端末１００とが離れた場合は、親端末が子端末を認証することができなくなる。そのため、子端末はロック状態になる。どの子端末もメイン端末になっていない場合、親端末はメイン端末に移行する。図８の「パターンＣとパターンＨ」「パターンＤとパターンＧ」の組み合わせが本項目に相当する。
【００９７】
（７）サブ／子端末とサブ／子端末の組み合わせ
「サブ端末かつ子端末」の役割を有する通信端末１００と、「サブ端末かつ子端末」の役割を有する通信端末１００とが離れた場合は、認証情報を持つ親端末が存在しないので、ロック解除はできない。したがって端末設定も変更しない。図８の「パターンＤとパターンＨ」の組み合わせが本項目に相当する。
【００９８】
以上、本実施の形態２では、親端末／子端末とメイン端末／サブ端末の組み合わせ毎の動作を説明した。
【００９９】
＜実施の形態３＞
以上の実施の形態１〜２で説明した通信端末１００の機能は、ＣＰＵなどの演算装置が実行するプログラムとして実装することができる。例えば、第１通信部１１０、第２通信部１２０、制御部１４０の機能をプログラムとして実装し、演算装置に実行させることにより、通信端末１００の機能を実現することができる。
【０１００】
また、前記プログラムは、前述した機能の一部を実現するためのものであってもよく、さらに前述した機能を通信端末１００にすでに記録されているＯＳ（Ｏｐｅｒａｉｎｇ  Ｓｙｓｔｅｍ）などのプログラムとの組み合わせで実現してもよい。
【０１０１】
上記プログラムをコンピュータ読み取り可能な記録媒体に記録して、この記録媒体に記録されたプログラムをＣＰＵに読み込ませ、実行することにより、通信端末１００の各機能部の処理を実現してもよい。
【０１０２】
上記プログラムを格納した「記録媒体」とは、フレキシブルディスク、光磁気ディスク、ＲＯＭ、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【符号の説明】
【０１０３】
１００ａ、１００ｂ、１００ｃ：通信端末、１１１：第１アンテナ、１１２：第１通信制御部、１２１：第２アンテナ、１２２：第２通信制御部、１３０：認証情報記憶部、１４０：制御部、１５０：端末設定記憶部、１６０：ＳＩＭカード装着部、２００：基地局、２１０：端末設定記憶部、１０００：移動体通信システム。
【図１】
2011077658.tif 000003
【図２】
2011077658.tif 000004
【図３】
2011077658.tif 000005
【図４】
2011077658.tif 000006
【図５】
2011077658.tif 000007
【図６】
2011077658.tif 000008
【図７】
2011077658.tif 000009
【図８】
2011077658.tif 000010